(57)【特許請求の範囲】
【請求項１】
遊技盤の前面に、表示窓を有する飾り枠を装着し、前記遊技盤の裏側に、前記表示窓に対応する表示パネルと、該表示パネルを駆動するためのドライバ基板とを含む表示手段を備えた遊技機において、前記飾り枠は前記遊技盤の開口に前側から前記遊技盤の板厚の中間まで嵌合され且つ後端部側が前記表示窓となった窓枠部と、前記遊技盤の板厚の中間で前記窓枠部の後端部に装着され且つ前記表示窓を塞ぐ透明な窓板とを有し、前記表示パネルが前側から嵌合する板金製の固定板を設け、該固定板は前記表示パネルの板厚方向の中間から外方に屈曲し且つ前記遊技盤の裏面に固定される固定部と、前記表示パネルの裏面との間に所定の間隔をおいて設けられ且つ前記表示パネルを裏側から覆う保護カバーを取り付ける取り付け部とを有し、前記表示パネルは前記固定部よりも前側に突出する板厚方向の前部が前記遊技盤内に裏側から嵌入し且つその前面が前記開口内において前記遊技盤の板厚内で前記窓板に近接していることを特徴とする遊技機。
【発明の詳細な説明】
【技術分野】
【０００１】
本発明は、弾球遊技機、回胴式遊技機等の遊技機に関するものである。
【背景技術】
【０００２】
遊技盤の表示窓に対応して液晶表示手段を配置し、この液晶表示手段により各種の遊技画像を表示しながら遊技を行う遊技機には、パチンコ機、アレンジボール機等を含む弾球遊技機、或いは回胴式遊技機等がある。
【０００３】
例えば、パチンコ機では、遊技盤の遊技領域の中央部に、特別図柄表示手段と演出画像表示手段とを兼用する液晶表示手段を配置し、この液晶表示手段により、遊技球を検出することを条件に所定時間変動して、変動後に大当たり図柄又は外れ図柄で停止する複数個の特別図柄を表示すると共に、変動中の特別図柄がリーチになった場合にリーチ演出画像を、大当たりになった場合に大当たり演出画像を夫々表示するようにしている。
【０００４】
この種のパチンコ機では、遊技盤の裏側に、その表示窓に対応して液晶表示手段を装着しているが、従来は次のような装着形態が採用されている（特許文献１）。
【０００５】
遊技盤の遊技領域の中央に、表示窓を有するセンターケース等の飾り枠が装着されている。飾り枠は、後方へと後ろ窄まりのテーパー状に形成された横長矩形状の窓枠部を有し、この窓枠部の後端部の内側が表示窓となっている。液晶表示手段は表示窓に対応する大きさの液晶表示パネルと、この液晶表示パネルの裏側に配置され且つ液晶表示パネルを駆動するドライバ基板とを備え、これら液晶表示パネル及びドライバ基板を保護ケース内に組み込み、この保護ケースの左右両側の側壁部の前端部から外側へと突出する左右一対の取り付け部を、遊技盤の裏カバー板等を介して遊技盤の裏面に固定している。
【特許文献１】特開２００２−８５７４１号公報
【発明の開示】
【発明が解決しようとする課題】
【０００６】
近時のパチンコ機では、遊技盤の遊技領域の拡大化に伴い液晶表示パネルが大型化する傾向にある。しかし、従来の液晶表示パネルの装着形態では、如何に遊技領域を拡大しても、液晶表示パネルを十分に大型化できない欠点がある。即ち、従来は液晶表示手段を保護ケース内に組み込んで、その保護ケースの左右両側の取り付け部を遊技盤の裏面側に固定しており、液晶表示手段の外周側、取り分け左右両側に保護ケースの側壁及び取り付け部があるため、遊技盤の左右両側にその側壁及び取り付け部分のスペースを確保する必要がある。
【０００７】
また飾りケースの窓枠部が後方に大きく突出して、その窓枠部の後端部の内側が表示窓となっているため、窓枠部を後ろ窄まりのテーパー状に形成すれば、表示窓の有効面積が狭くなり、それに対応して液晶表示手段も小さくなる。一方、窓枠部の上下壁、左右壁を平行にすれば、表示窓の面積を広く確保できるが、窓枠部の前端側の開口面積が表示窓の大きさと同じになるため、窓枠部の前端側によって液晶表示手段の視認領域が制限され、実質的に液晶表示手段の有効面積が狭くなる欠点がある。
【０００８】
更に仮に液晶表示手段が大型化した場合でも、液晶表示手段を保護ケース内に組み込んで、その液晶表示手段を遊技盤から後方に突出する窓枠部に対応して装着しているため、大きな保護ケースが遊技盤の裏側から後方へと大きく突出することになり、保護ケースが遊技機本体の裏側に配置又は装着される他の構成部品と干渉する等の問題も発生する。
【０００９】
本発明は、このような従来の問題点に鑑み、大型の表示パネルを使用できると共に、遊技盤の前側の飾り枠等による視野の制限を防止でき、しかも遊技者が表示パネルの大型化を実感でき、更には遊技盤の裏側の保護カバーの大型化を防止できる遊技機を提供することを目的とする。
【課題を解決するための手段】
【００１０】
本発明は、遊技盤の前面に、表示窓を有する飾り枠を装着し、前記遊技盤の裏側に、前記表示窓に対応する表示パネルと、該表示パネルを駆動するためのドライバ基板とを含む表示手段を備えた遊技機において、前記飾り枠は前記遊技盤の開口に前側から前記遊技盤の板厚の中間まで嵌合され且つ後端部側が前記表示窓となった窓枠部と、前記遊技盤の板厚の中間で前記窓枠部の後端部に装着され且つ前記表示窓を塞ぐ透明な窓板とを有し、前記表示パネルが前側から嵌合する板金製の固定板を設け、該固定板は前記表示パネルの板厚方向の中間から外方に屈曲し且つ前記遊技盤の裏面に固定される固定部と、前記表示パネルの裏面との間に所定の間隔をおいて設けられ且つ前記表示パネルを裏側から覆う保護カバーを取り付ける取り付け部とを有し、前記表示パネルは前記固定部よりも前側に突出する板厚方向の前部が前記遊技盤内に裏側から嵌入し且つその前面が前記開口内において前記遊技盤の板厚内で前記窓板に近接しているものである。
【発明の効果】
【００１１】
本発明では、大型の表示パネルを使用できると共に、遊技盤の前側の飾り枠等による視野の制限を防止でき、しかも遊技者が表示パネルの大型化を実感でき、更には遊技盤の裏側の保護カバーの大型化を防止できる利点がある。
【発明を実施するための最良の形態】
【００１２】
以下、本発明の実施形態を図面に基づいて詳述する。図面は本発明をパチンコ機として具現化した実施例を示す。図１において、１は遊技機本体で、矩形枠状の外枠２と、この外枠２の前側に配置された前枠３とを備えている。前枠３は左端側の上下一対のヒンジ４を介して外枠２に着脱及び開閉自在に装着されている。
【００１３】
前枠３の上部側には遊技盤５が着脱自在に装着されると共に、遊技盤５の前側にガラス扉６が、ガラス扉６の下側に隣接して前面板７が夫々配置されている。ガラス扉６、前面板７はヒンジ４と同一側のヒンジ（図示省略）により前枠３に開閉自在に枢支されている。前面板７には発射用の遊技球を貯留する上皿（球供給皿）８が装着されている。また前枠３の下部には、余剰球を貯留する下皿（余剰球貯留皿）９と、発射手段１０の発射ハンドル１１とが夫々設けられている。
【００１４】
遊技盤５の前側には、発射手段１０によって発射された遊技球を案内するガイドレール１２が環状に装着されると共に、そのガイドレール１２内の遊技領域１３の上部側に、表示窓１４を有する飾り枠１５が装着され、また飾り枠１５の下側に特別図柄始動手段１６、大入賞手段１７、普通入賞手段１８等が、飾り枠１５の一側方に普通図柄始動手段１９が夫々配置されている。
【００１５】
遊技盤５の裏側には、図２〜図５に示すように、液晶表示パネル２０及びドライバ基板２１を有し且つ液晶表示パネル２０が飾り枠１５の表示窓１４に対応して左右一対の固定板２２により遊技盤５に固定された液晶表示手段２０Ａ、液晶表示パネル２０を固定板２２と共に裏側から覆う保護カバー２３、保護カバー２３の下側に近接して遊技盤５に固定された集球ケース２４、保護カバー２３の裏側の収容凹部２６内に配置され且つドライバ基板２１を収容するドライバ基板ケース２５、ドライバ基板ケース２５の側方で保護カバー２３の裏側の収容凹部２６内に固定された液晶表示手段２０Ａ用の電源インターフェース基板２７、演出制御基板２８を収容し且つ収容凹部２６を裏側から塞ぐように保護カバー２３の裏側に着脱自在に固定された演出制御基板ケース２９、集球ケース２４内に配置された中継基板３０、主制御基板３１を収容し且つ集球ケース２４の裏側に着脱自在に固定された主制御基板ケース３２等が設けられている。
【００１６】
飾り枠１５は、図１、図３、図４、図６に示すように、遊技盤５の前面側に当接して装着されたベース板３３と、ベース板３３の前面に固定され前側に突出する飾り部３４と、飾り部３４の下部側に形成されたステージ部３５と、ベース板３３、飾り部３４等の内周から後方に屈曲する窓枠部３６と、窓枠部３６の後端側に装着された透明な窓板３７とを備えている。
【００１７】
ベース板３３は位置決め手段（図示省略）により遊技盤５の前面側の所定位置に位置決めされ、ネジ等の固定具により着脱自在に固定されている。飾り枠１５のベース板３３には、窓枠部３６の外側で遊技盤５の開口３８に対応する複数箇所、例えば上部側の左右一側、下部側の左右両側に後方へと突出する位置決め突起５５が設けられている（図３、図６参照）。
【００１８】
窓枠部３６は遊技盤５の開口３８に嵌合され、その後端部側が、窓板３７を介して液晶表示パネル２０の表示画像を視認可能な表示窓１４となっている。窓枠部３６は遊技盤５の前後方向の寸法よりも短くなっており、その後側で液晶表示パネル２０の一部が遊技盤５内に嵌入し得るように、後端部の表示窓１４が遊技盤５の板厚内に収まっている。従って、飾り枠１５は、窓枠部３６が遊技盤５よりも後方に突出する従来のものに比較して、前後方向の寸法が小さくなり、その全体を小型化することができる。
【００１９】
ステージ部３５は飾り部３４の一側の球入り口３９から入った遊技球をその下側の落下口４０へと案内するためのもので（図１参照）、窓板３７と同様に透明になっている。またステージ部３５は図３に示すように、表示窓１４の下部で窓板３７の前面の上下方向の中間に固定されており、このステージ部３５の上下両側で液晶表示パネル２０側の画像を視認することができる。従って、液晶表示パネル２０の前側の下部を遊技領域１３の一部として利用することができ、大型の液晶表示パネル２０を用いても、それによってステージ部３５が低くなり過ぎて遊技領域１３の下部側を大幅に制限するようなこともない。
【００２０】
液晶表示パネル２０は偏平な横長矩形状に構成されており、演出制御基板２８の制御により、ドライバ基板２１を介して駆動され、特別図柄始動手段１６の遊技球の検出を条件に所定時間変動して大当たり図柄、外れ図柄の何れかで停止する１個又は複数個の特別図柄、普通図柄始動手段１９の遊技球の検出を条件に所定時間変動して当たり図柄、外れ図柄の何れかで停止する１個又は複数個の普通図柄、特別図柄の変動中のリーチ演出画像、大当たり発生時の演出画像等の各種の画像を表示可能である。
【００２１】
液晶表示パネル２０は図８、図９に示すように、左右一対の板金製の固定板２２の前面側に装着され、その前面が窓板３７との間に僅かの間隙をおいて近接するように、前側の一部が遊技盤５内に嵌入した状態で一対の固定板２２を介して遊技盤５の裏側から固定されている。なお、液晶表示パネル２０は遊技盤５と略平行に配置されている。
【００２２】
このため液晶表示パネル２０が従来に比して遊技者に接近することになり、液晶表示パネル２０の大型化と相俟って、遊技者が表示領域の拡大を実感できる構成となっている。また液晶表示パネル２０が前に位置するため、それを覆う保護カバー２３等の後方への突出量を小さくでき、遊技盤５の裏側の構成部材の後方への突出を極力少なくすることも可能である。
【００２３】
遊技盤５の裏面には図８に示すように、開口３８の外側に液晶表示パネル２０に対応して前側に凹入する嵌入凹部４１が形成され、液晶表示パネル２０の開口３８から外側にはみ出す部分がその嵌入凹部４１に裏側から嵌入されている。即ち、横長矩形状の液晶表示パネル２０に対して、飾り枠１５の窓枠部３６等が嵌合する開口３８が凹凸を有する非矩形状であることから、開口３８の外側に液晶表示パネル２０に対応して嵌入凹部４１が形成されている。
【００２４】
このため液晶表示パネル２０の一部を遊技盤５内に裏側から嵌入しているにも拘わらず、遊技盤５に液晶表示パネル２０に対応して大きな開口３８を形成する必要がなく、開口３８の形成による遊技盤５側の強度の低下等を極力防止することができる。また嵌入凹部４１は液晶表示パネル２０の嵌入量に見合う深さでよいため、その加工も容易である。
【００２５】
なお、遊技盤５の開口３８が液晶表示パネル２０に対応する形状、又はそれ以上の大きさの場合には、液晶表示パネル２０は窓板３７の裏側に近接して開口３８に嵌入すればよい。
【００２６】
各固定板２２は図８、図９に示すように液晶表示パネル２０の左右両側に配置され、上壁部４２、下壁部４３、外壁部４４及び背壁部４５を一体に備え、これらによって形成された前側の凹部４６内に液晶表示パネル２０の左右両端部が嵌め込まれ、また左右両端の固定部４７にネジ等の固定具４８により液晶表示パネル２０が着脱自在に固定されている。
【００２７】
各固定板２２は上壁部４２、下壁部４３の前端から上下方向の外側に屈曲する上固定部４９、下固定部５０を有し、また一方の固定板２２は外壁部４４の前端から左右方向の外側に屈曲する当接部５１を、他方の固定板２２は外壁部４４の前端から左右方向の外側に屈曲する上下方向に複数個の外固定部５２を夫々有する。そして、各固定部４９，５０，５２及び当接部５１が遊技盤５の裏面に当接して、その固定部４９，５０，５２がネジ等の固定具５３により遊技盤５に固定されている。
【００２８】
このため液晶表示パネル２０の両端部を固定板２２により保護でき、また液晶表示パネル２０と固定板２２とを予め結合しておくことにより、遊技盤５に対する取り付けに際しては、液晶表示パネル２０と固定板２２とを１個の部品として取り扱うことができる。更に固定板２２自体の構造も簡単であり、プレス成型等により容易に製作できる。
【００２９】
一方の固定板２２の上固定部４９及び下固定部５０、他方の固定板２２の下固定部５０には、図２、図３、図５〜図８に示すように遊技盤５に対する固定箇所、即ち固定具５３から内側又は左右方向に離れ且つ飾り枠１５の窓枠部３６よりも外側で遊技盤５の開口３８に対応する位置に位置決め孔５４が形成されている。各箇所の位置決め孔５４は、異なる飾り枠１５に対応可能に左右方向に複数個（例えば３個）設けられており、その１個の位置決め孔５４に飾り枠１５側の位置決め突起５５が嵌合している。
【００３０】
このため遊技盤５の裏側に固定板２２を介して液晶表示パネル２０を取り付ける場合には、位置決め孔５４に位置決め突起５５を嵌め込むことによって、遊技盤５の前後両側の飾り枠１５と裏側の液晶表示パネル２０とを適正位置に配置することができる。
【００３１】
また固定板２２を含む液晶表示パネル２０を各機種に共通の汎用部品として、部品の共用化も促進することができる。即ち、飾り枠１５は各機種に固有の専用部品となるため、その前面側の意匠等に応じて各機種毎に位置決め突起５５の位置が異なる場合もあるが、その場合にも各箇所の位置決め孔５４の何れかに一致するように位置決め突起５５を形成したものであれば、固定板２２を含む液晶表示パネル２０を使用することができる。
【００３２】
各固定板２２の背壁部４５は背面視コ字状であり、各固定板２２にはその背壁部４５の上部及び下部に保護カバー２３用の取り付け部５６が、液晶表示パネル２０との間に所定の隙間ができるように後方に突出して設けられ、その取り付け部５６に取り付け孔５７が形成されている。なお、一方の対角線方向の取り付け部５６には、取り付け孔５７の他に保護カバー２３の位置決め孔５８が形成されている。保護カバー２３はこの取り付け孔５７、位置決め孔５８を利用して、固定板２２の裏側に着脱自在に固定されている。
【００３３】
このため後述のように保護カバー２３側の取り付け部５６がその背壁部４５にあることと相俟って、保護カバー２３の外側で遊技盤５の裏側に取り付け用のスペースを確保する必要がなく、それだけ液晶表示パネル２０を大型化することができる。また固定板２２の前側に液晶表示パネル２０があるにも拘わらず、取り付け部５６が後方に突出しているので、保護カバー２３の取り付けに当たって、ネジ等の固定具５９を取り付け部５６の取り付け孔５７に螺合しても、それで液晶表示パネル２０を損傷するようなことはない。
【００３４】
他方の固定板２２の外側には、図７に示すように上壁部４２、下壁部４３、外壁部４４の適当箇所には、所定の間隔を置いてハーネス６０用の止め部６１が一体に設けられ、演出制御基板２８等とガラス扉６の上部側の表示ランプ等とを接続するハーネス６０が、その各止め部６１を経由しながら固定板２２の外周に沿って配線されている。なお、止め部６１は板金製の固定板２２の一部を切り起こす等により形成され、ハーネス６０を固定するようになっている。
【００３５】
保護カバー２３は、図２〜図６、図９、図１０に示すように、液晶表示パネル２０の外周縁側よりも若干内側で左右の固定板２２の背壁部４５に当接する上下、左右の四辺の外周壁部６２と、この外周壁部６２の内側に液晶表示パネル２０と略平行に形成された背壁部６３とを有し、その背壁部６３の裏側がドライバ基板２１、電源インターフェース基板２７用の収容凹部２６となっている。
【００３６】
なお、ドライバ基板２１、電源インターフェース基板２７は、収容凹部２６内で保護カバー２３の背壁部６３に着脱自在に固定されている。電源インターフェース基板２７には、本来の電源インターフェース用電子部品の他に、液晶表示パネル２０の輝度を調整するための輝度調整手段６４が設けられている。
【００３７】
外周壁部６２は図１０に示すように下部側に比して上、左右の三辺側が後方に高くなっており、その三辺側の後端から内側に屈曲する屈曲部６５、屈曲部６５の内端から前側に屈曲する内周壁部６６を介して、その内周壁部６６の前端側に背壁部６３が形成されている。背壁部６３は外周壁部６２の前後方向の中間部分にあり、その上側及び左右両側が内周壁部６６の前端に一体に接続され、下側が外周壁部６２に一体に接続されている。
【００３８】
即ち保護カバー２３の裏側には、外周壁部６２、屈曲部６５、内周壁部６６等により背壁部６３の外側の三辺に凸状壁６７が形成され、その凸状壁６７の内側で背壁部６３の裏側が前側へと凹入する収容凹部２６となっている。そして、この収容凹部２６内にドライバ基板２１を収容するドライバ基板ケース２５、電源インターフェース基板２７が配置されている。このため保護カバー２３の裏側を有効に利用できる。
【００３９】
外周壁部６２と内周壁部６６との間には、図３、図６、図９に示すように、これらと屈曲部６５とを一体に連結して相互に補強する補強リブ６８が周方向に所定間隔をおいて複数個設けられている。補強リブ６８は、背壁部６３の前側でも外周壁部６２を内側から補強できるように、背壁部６３よりも前側に突出している。
【００４０】
背壁部６３の四隅には有底円筒状の取り付け部６９が前側に突出して一体に形成されている。一方の対角線方向の各取り付け部６９の近傍には位置決め突起７０が設けられている。なお、上側の取り付け部６９は補強リブ６８と一体であり、下側の取り付け部６９は外周壁部６２の下側と一体に接続されている。
【００４１】
そして、保護カバー２３の外周壁部６２の前端は液晶表示パネル２０の外周部で各固定板２２の背壁部４５に、取り付け部６９の前端は各固定板２２の背壁部４５の取り付け部５６に夫々当接して、位置決め孔５８と位置決め突起７０とにより位置決めされ、取り付け部６９の底壁から固定板２２の取り付け孔５７に螺合するネジ等の固定具５９により固定板２２に着脱自在に固定されている（図６参照）。
【００４２】
このため保護カバー２３を固定板２２の裏側に確実に固定できる。しかも背壁部６３の四隅に有底円筒状の取り付け部６９があり、その取り付け部６９の内部で固定板２２の取り付け孔５７へと固定具５９を挿入して固定するため、収容凹部２６側に突出する場合に比して、固定具５９が邪魔になることもない。
【００４３】
保護カバー２３の背壁部６３の前側には、図４、図９に示すように、内周壁部６６の左右方向の一方側近傍に、隣り合う補強リブ６８間に位置するようにハーネス７２用の掛け部７３がＬ字状に形成されている。そして、保護カバー２３内にハーネス７２を通す場合には、各掛け部７３にハーネス７２を引っ掛けておけば、そのハーネス７２が掛け部７３から外れないように、補強リブ６８の背壁部６３から前側に突出した部分で規制することができる。従って、掛け部７３と補強リブ６８との間でハーネス７２を保持できる。
【００４４】
保護カバー２３の裏側には、図４、図９、図１０に示すように、ドライバ基板２１の取り付け領域を取り囲む枠部７４が背壁部６３に一体に形成されると共に、枠部７４の外周に嵌脱自在に外嵌し且つ収容凹部２６内のドライバ基板２１を覆うドライバカバー７５が開閉、着脱自在に装着されている。そして、ドライバカバー７５と保護カバー２３の背壁部６３とにより、ドライバ基板２１を収容するドライバ基板ケース２５が構成されている。このため、保護カバー２３の一部を有効に利用することができる。
【００４５】
枠部７４はドライバ基板２１の取り付け高さと略同程度であって、その外周側には周方向に所定の間隔を置いて複数個の補強リブ６８が背壁部６３と一体に設けられている。ドライバカバー７５はその前側が開放する箱状であって、周壁部７６と背壁部７７とを一体に有し、前端側が枠部７４の外周に嵌脱可能である。
【００４６】
保護カバー２３の下部側の外周壁部６２と背壁部６３との隅部分、内周壁部６６と背壁部６３との隅部分、ドライバカバー７５の四辺の周壁部７６と背壁部７７との隅部分には、長手方向に所定の間隔をおいて複数個の放熱孔７８が形成されている。このため放熱孔７８の形成による保護カバー２３、ドライバカバー７５の強度の低下を防止できる。
【００４７】
ドライバカバー７５は、図３、図５、図６、図１０に示すように、その下側の左右一対のヒンジ手段８０、上側の左右一対の封止手段８１及び係合手段８２により閉状態で保護カバー２３に固定されている。ヒンジ手段８０は保護カバー２３の背壁部６３の下端側に一体に形成されたヒンジピン８３と、ドライバカバー７５の周壁部７６の前端部から下方に一体に突出し且つヒンジピン８３に対して係脱自在に係合するヒンジ爪８４とを備えている。
【００４８】
封止手段８１はドライバカバー７５を閉状態で封止するものであり、この封止手段８１の左右両側に、ドライバカバー７５を閉状態で係脱自在に係止する左右一対の係合手段８２が設けられている。
【００４９】
封止手段８１は周壁部７６の後端側から上方に一体に突出する突出板部８５に形成された封止孔８６と、保護カバー２３側の凸状壁６７側に一体に形成され且つドライバカバー７５の閉状態のときに封止孔８６に嵌合する封止爪８７とを備えている。封止爪８７は一旦封止孔８６に嵌合した後は切断しない限り、封止孔８６から外れないようになっている。
【００５０】
係合手段８２は保護カバー２３の内周壁部６６に左右に間隔をおいて形成された係合孔８８と、ドライバカバー７５の周壁部７６の上側に一体に形成され且つドライバカバー７５が閉状態のときに係合孔８８に係脱自在に係合する左右一対の係合爪８９とを備えている。
【００５１】
中継基板３０は遊技盤５側の特別図柄始動手段１６、大入賞手段１７等の検出スイッチ、ソレノイドその他の電気部品と、演出制御基板２８、主制御基板３１等とを接続する際に、夫々からのハーネスを中継基板３０のコネクタに接続して中継するためのものである。この中継基板３０は図３、図５、図１１に示すように上下に２個あり、特別図柄始動手段１６、大入賞手段１７の裏側で保護カバー２３の下側に配置された取り付け台９０に裏側から着脱自在に固定されている。
【００５２】
取り付け台９０は図３に示すように遊技盤５と略平行に配置されており、上側が保護カバー２３の下側の支持台９１に着脱自在に係止され、下側の左右一対の取り付け脚部９２がネジ等の固定具を介して遊技盤５に着脱自在に固定されている。このため特別図柄始動手段１６、大入賞手段１７等を迂回しながら、取り付け台９０を保護カバー２３の下側に接近させて配置することができる。また取り付け台９０の固定も容易にできる。
【００５３】
取り付け台９０には図１１に示すように、各中継基板３０の移動を外側から規制する矩形枠状等の規制部９３と、この規制部９３により規制された中継基板３０を係止する左右一対の係止爪９４とが設けられ、各中継基板３０は規制部９３と係止爪９４により取り付け台９０に着脱自在に係止されている。
【００５４】
支持台９１は図１０に示すように、取り付け台９０の上部側が係合する係合部９５と、取り付け台９０の上部側の左右移動を規制する規制部９６と、係合部９５に係合し規制部９６で規制された状態で取り付け台９０の上部を係止する係止爪９７とを有し、これらにより取り付け台９０の上部側を着脱自在に支持するようになっている。支持台９１は左右の固定板２２間で保護カバー２３から下方に突出しており、その下側前端の取り付け脚部９８がネジ等の固定具により遊技盤５の裏側に着脱自在に固定されている。なお、取り付け台９０の取り付け脚部９２は特別図柄始動手段１６の下側で遊技盤５に着脱自在に固定されている。
【００５５】
このため保守、点検等に際しても、取り付け台９０を容易に着脱することができる。また取り付け台９０の上部側を支持台９１に係脱するときに、支持台９１に後方側への外力が作用しても、その外力が取り付け部５６と固定板２２との固定箇所に加わるようなことはない。
【００５６】
集球ケース２４は大入賞手段１７、特別図柄始動手段１６、普通入賞手段１８等に入賞して遊技盤５の裏側に通過した遊技球を集めて案内口９９から回収通路（図示省略）側へと案内するためのもので、図３、図１１に示すように上側が開放すると共に、中継基板３０のコネクタの接続等を容易に行えるように、後壁部１００の上部側から上側が開放している。そして、集球ケース２４は保護カバー２３の下側に近接して配置され、遊技盤５の裏側に着脱自在に固定されている。
【００５７】
演出制御基板２８は、液晶表示パネル２０に表示される特別遊技図柄を制御する特別図柄表示制御機能、液晶表示パネル２０に表示される各種演出画像を制御する画像演出制御機能、各種表示ランプの点滅等を制御するランプ演出制御機能、スピーカからの音声を制御す音声演出制御機能等を有し、演出制御基板ケース２９に収容されている。演出制御基板ケース２９は保護カバー２３の裏側に開閉、着脱自在に装着されている。
【００５８】
演出制御基板ケース２９は、図３、図４、図１２に示すように、保護カバー２３の裏側のドライバ基板ケース２５、電源インターフェース基板２７を覆う覆いを兼用しており、基板受け板１０１と基板カバー１０２との間に演出制御基板２８が収容されている。そして、この演出制御基板ケース２９は、保護カバー２３の凸状壁６７の後端面を取り付け面として、下部側の左右一対のヒンジ爪１０３と、上部側の左右一対の係合爪１０４とにより保護カバー２３の裏側に開閉、着脱自在に固定されている。
【００５９】
このため保護カバー２３の裏側を有効に利用できる上に、保護カバー２３の裏側の見栄えを良好にできる。また収容凹部２６の外周側の凸状壁６７に演出制御基板ケース２９を取り付けているため、演出制御基板ケース２９の着脱に耐え得るだけの十分な強度を確保できる。更に演出制御基板ケース２９の着脱も容易にできる。
【００６０】
ヒンジ爪１０３は演出制御基板ケース２９の下端に設けられ、保護カバー２３の凸状壁６７の下端部に形成された係合部１０５に係脱、回動自在に係合している。係合爪１０４は保護カバー２３の上端部側の左右両側に設けられ、演出制御基板ケース２９を閉状態にしたときに、その上部側の左右両側に形成された係合部１０６に係脱自在に係合するようになっている。係合爪１０４は保護カバー２３の凸状壁６７、取り分けその外周壁部６２から後方へと一体に突出している。
【００６１】
主制御基板３１は、遊技盤５側の遊技部品による遊技動作を制御する遊技動作制御機能を有し、主制御基板ケース３２に収容されている。主制御基板ケース３２は、図３、図１３に示すように基板受け板１０９と基板カバー１１０とから構成され、取り付け板１０８の裏側に締結レバー１１１等により着脱自在に装着されている。取り付け板１０８は集球ケース２４の後端面を取り付け面として、その後壁部１００側に形成された開口１０７を覆うように、下部側の左右一対のヒンジ手段１１３と、上部側の左右一対の係合爪１１４とにより、集球ケース２４の裏側に開閉、着脱自在に固定されている。
【００６２】
このため集球ケース２４内の中継基板３０等が外部に露出することがなく、集球ケース２４の裏側の見栄えも良好になる。また主制御基板ケース３２の着脱も容易にできる。
【００６３】
ヒンジ手段１１３は図３、図１１に示すように、集球ケース２４の裏側下端部に一体に設けられたヒンジピン１１５と、取り付け板１０８の下端に設けられた前後一組のヒンジ爪１１６とを備えている。ヒンジピン１１５は上下両側が偏平で、その左右両端が集球ケース２４から後方に突出する突部により一体に連結されている。
【００６４】
前後一組のヒンジ爪１１６は、両者でヒンジピン１１５を相対回動自在に抱き込むように構成され、また前後一組のヒンジ爪１１６の先端側は、その先端側を偏平部分に合わせたときにヒンジピン１１５に対して相対的に嵌脱できるようになっている。係合爪１１４は集球ケース２４の上端部側の左右両側に設けられ、取り付け板１０８を閉状態にしたときに、取り付け板１０８に係脱自在に係合するようになっている。
【００６５】
なお、保護カバー２３と集球ケース２４との遊技盤５からの突出量は略同じであり、その後端の保護カバー２３、集球ケース２４用の取り付け面は遊技盤５と略平行になっている。また演出制御基板ケース２９、主制御基板ケース３２は前後方向の厚さが薄い偏平な横長矩形状であり、その制御基板２８，３１が遊技盤５と略平行となるように配置されている。しかも演出制御基板ケース２９、主制御基板ケース３２は前後の厚さが略同じであり、上下に近接して配置されている。保護カバー２３、各基板ケース２５，２９，３２には、所要箇所に所要数の放熱口が設けられている。
【００６６】
以上、本発明の実施例について詳述したが、本発明はこの実施例に限定されるものではなく、その他種々の態様で実施することができる。例えば、実施例では、液晶表示パネル２０の取り付け用に左右一対の固定板２２を用いているが、外周に固定部４９，５０，５２を有し且つ背壁部４５にその周縁部分を残して開口が形成された１個の固定板２２を用いてもよい。この場合にも、液晶表示パネル２０との間に隙間ができるように取り付け部５６を後方に突出して設け、その取り付け部５６に取り付け孔５７、位置決め孔５８等を形成すればよい。
【００６７】
固定板２２を遊技盤５の裏面に固定するに当たっては、外側に突出する固定部４９，５０，５２をネジ等の固定具で遊技盤５に固定するのが望ましいが、上側の固定部４９の上側に係合部を形成し、その係合部を遊技盤５の上端に係合させるようにしてもよい。勿論、このときも他の固定部５０，５２はネジ等で遊技盤５の裏面に固定しておくことが望ましい。
【００６８】
液晶表示パネル２０の前側の一部を遊技盤５に嵌入するに当たって、実施例では固定板２２の固定部４９，５０，５２から前側に液晶表示パネル２０が突出する構造として、固定部４９，５０，５２を遊技盤５の裏面に当接した状態で液晶表示パネル２０を遊技盤５内に嵌入させているが、遊技盤５の裏面に固定部４９，５０，５２用の凹部を形成して、その凹部内で固定部４９，５０，５２を遊技盤５に固定してもよい。この場合には、固定板２２の固定部４９，５０，５２と液晶表示パネル２０との前面側を略面一上に構成することもできる。
【００６９】
保護カバー２３を固定板２２の裏側に固定する場合、外周壁部６２よりも内側の背壁部６３に凹入状の取り付け部６９を設けることが望ましいが、この背壁部６３と固定板２２との間にスペーサを介在し、背壁部６３側から固定板２２の取り付け孔５７へとビス等を挿入して螺合することも可能である。従って、背壁部６３側の取り付け部６９は、前側に突出しない形状であってもよい。
【００７０】
保護カバー２３は外周壁部６２の前端が固定板２２の背壁部４５に当接しているが、固定板２２の外側で遊技盤５の裏面に当接するようにしてもよい。ドライバ基板２１は固定板２２と干渉しないように液晶表示パネル２０の裏側に取り付けてもよいし、保護カバー２３内で固定板２２の裏側、保護カバー２３の背壁部６３の前側等に取り付けてもよい。
【００７１】
保護カバー２３の収容凹部２６内にドライバ基板ケース２５を設ける場合、実施例のように保護カバー２３の背壁部６３をドライバ基板ケース２５の一部に利用しているが、保護カバー２３とは別にドライバ基板ケース２５を設けてもよい。保護カバー２３の前側にドライバ基板２１を設ける場合には、保護カバー２３の裏側の収容凹部２６は省いてもよい。
【００７２】
演出制御基板ケース２９内には、液晶表示パネル２０の表示画像の制御動作を行う表示制御基板と、表示ランプの演出制御を行うランプ制御基板と、効果音の演出制御を行う音声制御基板とを別々に設けてもよい。また演出制御基板ケース２９に代替して、表示制御基板を収容する表示制御基板ケースを設けてもよい。
【００７３】
表示パネルとして液晶式を例示しているが、プラズマ式、有機ＥＬ式でもよい。保護カバー２３の裏側に主制御基板ケース３２を、集球ケース２４の裏側に演出制御基板ケース２９を夫々設けてもよい。また各基板ケース２５，２９，３２の取り付け構造は適宜変更可能である。またパチンコ機、アレンジボール機等の弾球遊技機の他に、回胴式遊技機等でも同様に実施可能である。
【図面の簡単な説明】
【００７４】
【図１】本発明の一実施例を示すパチンコ機の全体斜視図である。
【図２】同遊技盤の背面図である。
【図３】同遊技盤の縦断面図である。
【図４】同遊技盤の横断面である。
【図５】同保護カバー側の背面図である。
【図６】同要部の拡大断面図である。
【図７】同固定板から前の遊技盤の背面図である。
【図８】同遊技盤、液晶表示パネル等の分解斜視図である。
【図９】同保護カバーの正面図である。
【図１０】同保護カバー、ドライバカバーの分解斜視図である。
【図１１】同取り付け台、集球ケース、取り付け板等の分解斜視図である。
【図１２】同保護カバー、演出制御基板ケースの分解斜視図である。
【図１３】同取り付け板、主制御基板ケース等の分解斜視図である。
【符号の説明】
【００７５】
５    遊技盤
１４  表示窓
１５  飾り枠
２０  液晶表示パネル
２１  ドライバ基板
２０Ａ  液晶表示手段
２２  固定板
２３  保護カバー
２６  収容凹部
３８  開口
４１  嵌入凹部
５４  位置決め孔
５７  取り付け孔
６２  外周壁部
６３  背壁部
６９  取り付け部
【図１】
0004628301.tif 000002
【図２】
0004628301.tif 000003
【図３】
0004628301.tif 000004
【図４】
0004628301.tif 000005
【図５】
0004628301.tif 000006
【図６】
0004628301.tif 000007
【図７】
0004628301.tif 000008
【図８】
0004628301.tif 000009
【図９】
0004628301.tif 000010
【図１０】
0004628301.tif 000011
【図１１】
0004628301.tif 000012
【図１２】
0004628301.tif 000013
【図１３】
0004628301.tif 000014